(57)【要約】【課題】目的とする射出成形機と異なる他の射出成形機を誤って操作する誤操作や、複数のユーザによる操作のバッティングを確実に防止できる、ネットワーク接続により遠隔操作が可能な射出成形機を提供する。【解決手段】ユーザ認証によりネットワーク端末（４）がネットワーク接続されて、該ネットワーク端末（４）上に射出成形機（１）の操作画面が表示されるようになっている射出成形機（１）を対象とする。射出成形機（１）は、ネットワーク端末（４）が接続されると射出成形機（１）に付属のモニタ（３）にユーザ情報ウィンドウ（１５）が生成されて認証されたユーザに関するユーザ情報が表示されるようにする。このユーザ情報ウィンドウ（１５）は、ネットワーク端末（４）の接続が終了すると閉じられる。【選択図】  図１
2019130793.tif 000002
【特許請求の範囲】
【請求項１】
ユーザ認証によりネットワーク端末がネットワーク接続されて、該ネットワーク端末上に射出成形機の操作画面が表示されるようになっている射出成形機であって、
前記射出成形機は、前記ネットワーク端末が接続されると前記射出成形機に付属のモニタにユーザ情報ウィンドウが生成されて認証されたユーザに関するユーザ情報が表示され、前記ネットワーク端末の接続が終了すると前記ユーザ情報ウィンドウが閉じられるようになっていることを特徴とする射出成形機。
【請求項２】
請求項１に記載の射出成形機において、前記ユーザ情報はユーザの顔写真を含んでいることを特徴とする射出成形機。
【請求項３】
請求項１または２に記載の射出成形機において、前記ネットワーク端末上に表示される操作画面には、該操作画面の所定のエリアに前記ユーザ情報が表示されるようになっていることを特徴とする射出成形機。
【請求項４】
請求項１〜３のいずれかに記載の射出成形機において、前記ネットワーク端末は、複数台の射出成形機に同時にネットワーク接続でき、そしてネットワーク接続された複数台の射出成形機のそれぞれに対応する複数枚の操作画面がマルチウィンドウで表示されるようになっており、
前記ネットワーク端末上においてポインタデバイスにより所定の操作画面が選択状態となるアクティブと、非選択状態である非アクティブとに切換えられるとき、該所定の操作画面に対応する射出成形機において前記ユーザ情報ウィンドウの表示色が切換えられるようになっていることを特徴とする射出成形機。
【発明の詳細な説明】
【技術分野】
【０００１】
本発明は、ネットワーク端末を介して操作が可能な射出成形機に関するものである。
【背景技術】
【０００２】
従来周知のように、射出成形機は金型を型締めする型締装置、射出材料を溶融すると共に型締めされた金型内に射出材料を射出する射出装置、これらの装置を制御するコントローラ等から構成されている。型締装置は、固定盤、可動盤、型締機構等から構成され、型締機構を所定の方向に駆動すると固定盤と可動盤のそれぞれに設けられている金型が型閉じ、型締めされ、逆方向に駆動すると型開きするようになっている。また射出装置は、加熱シリンダ、この加熱シリンダ内で回転方向と軸方向とに駆動されるスクリュ等から構成され、加熱シリンダの後方に設けられているホッパから射出材料を供給し、スクリュを回転方向に駆動すると、加熱シリンダに設けられているヒータからの熱と、スクリュの回転のせん断力による熱とによって射出材料が溶融し、スクリュが後退してスクリュの先端に射出材料を計量することができる。そしてスクリュを軸方向に駆動すると射出材料を射出することができる。
【０００３】
射出成形の各工程においては、これらの装置を適切に制御する必要があり、色々なデータをコントローラに設定したりデータを監視する必要がある。コントローラにはモニタが設けられ、このモニタ上に各種の画面が表示され、データを設定したり監視できるようになっている。このように従来の多くの射出成形機においてはデータを設定したり監視する等の、いわゆる射出成形機の操作は射出成形機に付属しているモニタによって実施するようになっている。しかしながら、近年ネットワーク端末を介して接続される射出成形機であって、ネットワーク端末から遠隔操作が可能な射出成形機も提案されてきている。このような射出成形機は、例えば特許文献１、２において提案されている。
【先行技術文献】
【特許文献】
【０００４】
【特許文献１】特開平７−１５３０号公報
【特許文献２】特開平７−４６６７５号公報
【０００５】
特許文献１に記載の射出成形機は、成形条件作成装置が接続されるようになっている。成形条件作成装置はパソコン等からなり、いわゆるネットワーク端末であるが、各種の成形条件は成形条件作成装置において設定することができるようになっている。成形条件作成装置で成形条件を設定後、成形条件作成装置を射出成形機にネットワーク接続し、通信処理を行うと、成形条件が射出成形機に転送される。これによって射出成形機を操作することができる。
【０００６】
特許文献２には、複数台の射出成形機に接続可能な遠隔制御装置が記載されている。この遠隔制御装置もネットワーク端末であり、射出成形機にネットワーク接続されるようになっている。この文献に記載の遠隔制御装置は、複数台の射出成形機の中から切換えて、所望の射出成形機にネットワーク接続できるようになっている。遠隔制御装置が所定の射出成形機に切換えられたら、遠隔制御装置にはその射出成形機の画面が表示される。従って遠隔制御装置から射出装置を操作することができる。
【発明の概要】
【発明が解決しようとする課題】
【０００７】
特許文献１に記載の射出成形機、あるいは特許文献２に記載の射出成形機もノートパソコン等のネットワーク端末を接続すれば操作することができ、また射出成形機を遠隔で監視することもでき優れてはいる。しかしながら解決すべき問題も見受けられる。具体的には、誤操作の防止が考慮されていない点をあげることができる。特許文献１に記載の成形条件作成装置も、特許文献２に記載の遠隔制御装置も、いずれもネットワーク接続されるようになっているので、複数台の射出成形機から任意に選択して接続できる。そうすると、誤って意図しない射出成形機に接続してしまう危険ががあるが、接続先の射出成形機を間違えてしまっても、ユーザは誤りに気づきにくい。そうするとユーザは所定の射出成形機についてデータの設定や監視を実施しているつもりで、誤って他の射出成形機を操作してしまう危険がある。さらには操作のバッティングの問題もある。具体的にはネットワーク接続により遠隔操作中の射出成形機について、他のユーザが気づかずに直接射出成形機のモニタにおいて射出成形機を操作してしまう問題である。操作のバッティングがあると、データを設定する操作をしている場合にデータの不整合が生じてしまい問題がある。
【０００８】
本発明は、上記したような問題点を解決した射出成形機を提供することを目的とし、具体的には、ネットワーク接続により遠隔操作が可能な射出成形機であって、接続先の射出成形機を誤る誤操作を防止でき、遠隔操作中の射出成形機に対して他のユーザが誤って操作する操作のバッティングを防止できる、射出成形機を提供することを目的としている。
【課題を解決するための手段】
【０００９】
本発明を完成にするにあたり、発明者は射出成形機の操作環境を調査し、射出成形機において遠隔操作が必要となる状況について整理した。その結果、射出成形機から比較的離れた場所からの遠隔操作が必要な場合もあるが、射出成形機の近傍からの遠隔操作が必要な場合もあり、後者のニーズが比較的高いことが判明した。射出成形機の近傍には成形品を搬送するベルトコンベヤ等の搬送装置や、成形品を検査する検査装置等が設けられ、射出成形品のコントローラのモニタの前に十分なスペースを確保することができないケースがある。このような場合において射出成形機の近傍から、例えばベルトコンベヤ越しで射出成形機を遠隔操作したいというニーズがある。このようなニーズに鑑みて、接続先の射出成形機を誤る誤操作を防止でき、遠隔操作中の射出成形機に対して他のユーザが誤って操作する操作のバッティングを防止できる射出成形機を発明した。
【００１０】
本発明は、上記目的を達成するために、ユーザ認証によりネットワーク端末がネットワーク接続されて、該ネットワーク端末上に射出成形機の操作画面が表示されるようになっている射出成形機を対象とする。そして射出成形機は、ネットワーク端末が接続されると射出成形機に付属のモニタにユーザ情報ウィンドウが生成されて認証されたユーザに関するユーザ情報が表示されるように構成する。このユーザ情報ウィンドウは、ネットワーク端末の接続が終了すると閉じられる。
【００１１】
かくして、請求項１記載の発明は、上記目的を達成するために、ユーザ認証によりネットワーク端末がネットワーク接続されて、該ネットワーク端末上に射出成形機の操作画面が表示されるようになっている射出成形機であって、前記射出成形機は、前記ネットワーク端末が接続されると前記射出成形機に付属のモニタにユーザ情報ウィンドウが生成されて認証されたユーザに関するユーザ情報が表示され、前記ネットワーク端末の接続が終了すると前記ユーザ情報ウィンドウが閉じられるようになっていることを特徴とする射出成形機として構成される。
請求項２に記載の発明は、請求項１に記載の射出成形機において、前記ユーザ情報はユーザの顔写真を含んでいることを特徴とする射出成形機として構成される。
請求項３に記載の発明は、請求項１または２に記載の射出成形機において、前記ネットワーク端末上に表示される操作画面には、該操作画面の所定のエリアに前記ユーザ情報が表示されるようになっていることを特徴とする射出成形機として構成される。
請求項４に記載の発明は、請求項１〜３のいずれかに記載の射出成形機において、前記ネットワーク端末は、複数台の射出成形機に同時にネットワーク接続でき、そしてネットワーク接続された複数台の射出成形機のそれぞれに対応する複数枚の操作画面がマルチウィンドウで表示されるようになっており、前記ネットワーク端末上においてポインタデバイスにより所定の操作画面が選択状態となるアクティブと、非選択状態である非アクティブとに切換えられるとき、該所定の操作画面に対応する射出成形機において前記ユーザ情報ウィンドウの表示色が切換えられるようになっていることを特徴とする射出成形機として構成される。
【発明の効果】
【００１２】
以上のように、本発明は、ユーザ認証によりネットワーク端末がネットワーク接続されて、該ネットワーク端末上に射出成形機の操作画面が表示されるようになっている射出成形機を対象としている。そして射出成形機は、ネットワーク端末が接続されると射出成形機に付属のモニタにユーザ情報ウィンドウが生成されて認証されたユーザに関するユーザ情報が表示され、ネットワーク端末の接続が終了するとユーザ情報ウィンドウが閉じられるように構成されている。そうすると射出成形機の比較的近傍からは、当該射出成形機がネットワークを介してネットワーク端末が接続されているかどうかが判別できる。さらにユーザ情報が射出成形機のモニタに表示されるので、誰がその射出成形機を操作しているのかも分かる。つまり操作者は自分が操作していることを確認できる。ネットワーク端末による遠隔操作は射出成形機の比較的近傍において実施することが多いが、このような比較的近傍においてネットワーク端末から射出成形機に接続する場合において、意図しない他の射出成形機に接続してしまう誤接続を防止でき、これによって射出成形機の誤操作を防止できることになる。またネットワーク端末が接続されているか否かが射出成形機のモニタ上で判断できるので、ネットワーク端末から遠隔操作中の射出成形機に対して、直接他のユーザが誤って操作する操作のバッティングを防止することもできる。他の発明によると、ユーザ情報はユーザの顔写真を含んでいる。顔写真によって現在操作中のユーザが判断できるので、射出成形機の誤操作を確実に防止できることになる。また他の発明によると、ネットワーク端末は、複数台の射出成形機に同時にネットワーク接続でき、そしてネットワーク接続された複数台の射出成形機のそれぞれに対応する複数枚の操作画面がマルチウィンドウで表示されるようになっており、ネットワーク端末上においてポインタデバイスにより所定の操作画面が選択状態となるアクティブと、非選択状態である非アクティブとに切換えられるとき、該所定の操作画面に対応する射出成形機において前記ユーザ情報ウィンドウの表示色が切換えられるようになっている。この発明によると、複数台の射出成形機を１台のネットワーク端末から操作することができる。そして複数台の射出成形機に接続しているネットワーク端末において、所定の操作画面をアクティブにして所定の射出成形機を操作するとき、操作しようとする射出成形機が、意図した射出成形機であるのかどうか、射出成形機のモニタのユーザ情報ウィンドウの表示色を見るだけで確認できることになる。これによって誤操作を防止できる。
【図面の簡単な説明】
【００１３】
【図１】本発明の実施の形態に係る射出成形機と、ネットワーク端末とを示す図である。
【図２】本発明の実施の形態に係るネットワーク端末を示す図である。
【発明を実施するための形態】
【００１４】
以下、本発明の実施の形態に係る射出成形機１を説明する。本実施の形態においても射出成形機１は従来の射出成形機と同様に、射出装置、型締装置等から構成され射出成形機１にはこれら装置を制御するコントローラと、射出成形機を操作するための各種画面が表示されるモニタ３とが設けられている。本実施の形態に係る射出成形機１は、有線または無線のネットワークインターフェースを備えており、後で説明するようにネットワーク端末４からネットワーク接続されて操作できる点に特徴がある。工場内のネットワーク、つまりＬＡＮ２には、図１に示されているように、このような本実施の形態に係る射出成形機１ａ、１ｂ、…が複数台接続されている。
【００１５】
射出成形機１ａ、１ｂ、…が接続されているＬＡＮ２には、ノートパソコン、タブレット型端末等の、モニタ６を備えた本実施の形態に係るネットワーク端末４も接続されるようになっている。本実施の形態においてＬＡＮ２には無線ルータ５が設けられ、ネットワーク端末４はこの無線ルータ５を介して射出成形機１ａ、１ｂ、…に接続されるようになっている。
【００１６】
本実施の形態に係る射出成形機１には、コントローラの記憶領域にユーザ認証のためのユーザ情報を格納するユーザ情報ファイルが設けられ、このユーザ情報ファイルには複数人のユーザ分について以下の情報が登録されている。
・ユーザＩＤ
ユーザを特定するユニークな番号である。
・パスワード
ユーザ認証に必要なパスワードである。
・顔写真
ユーザの顔写真である。
・電話番号
ユーザの電話番号である。
・メールアドレス
ユーザのメールアドレスである。
【００１７】
本実施の形態に係る射出成形機１には、ネットワーク端末４と通信するためのソフトウエアが組み込まれている。具体的には、ネットワーク端末４からの接続要求を受け、ユーザ認証を行って接続を確立するサーバ機能である。このサーバ機能は射出成形機１のコントローラに組み込まれている。後で説明するようにサーバ機能が上のユーザ情報を参照してユーザ認証を行うことになる。
【００１８】
本実施の形態に係るネットワーク端末４にも、射出成形機１と通信するためのクライアント機能としてのソフトウエアが組み込まれている。このクライアント機能が、射出成形機１のサーバ機能と通信を行ってユーザ認証を経て接続を確立するようになっている。ところで本実施の形態に係るネットワーク端末４のモニタ６も、本実施の形態に係る射出成形機１のモニタ３もマルチウィンドウからなる。つまり複数枚のウィンドウを同時に表示できるようになっている。
【００１９】
本実施の形態に係るネットワーク端末４を本実施の形態に係る射出成形機１に接続する方法を説明する。ネットワーク端末４において所定の操作をすると、図２に示されているように、モニタ６にウィンドウが生成されて、このウィンドウにネットワーク接続画面８が表示される。ネットワーク接続画面８はネットワーク端末４に予めインストールされている画面でありクライアント機能の一部である。ネットワーク接続画面８において、接続したい射出成形機のホスト名、あるいはＩＰアドレスをホスト名入力欄９に入力する。例えば図１に示されている射出成形機１ａのホスト名を入力する。そしてユーザのユーザＩＤをユーザＩＤ入力欄１０に、パスワードをパスワード入力欄１１にそれぞれ入力し、接続ボタン１３をクリックする。そうするとネットワーク端末４のクライアント機能は、入力されたホスト名の射出成形機１ａのサーバー機能に接続要求し、ユーザ認証を受ける。射出成形機１ａのサーバ機能はユーザ情報ファイルを参照し、入力されたユーザＩＤとパスワードとから、ユーザ認証を行う。
【００２０】
ユーザ認証に成功したら、図１に示されているように、射出成形機１ａのサーバ機能は射出成形機１ａのモニタ３上に、ユーザ情報ウィンドウ１５を生成し、ユーザの顔写真を表示する。ユーザ情報ウィンドウ１５は比較的小さいので、モニタ３上に表示されている他の画面の妨げにはならない。なおユーザ情報ウィンドウ１５にはユーザの電話番号やメールアドレスを同時に表示するようにしてもよい。ユーザは、接続しようとしている射出成形機１ａにユーザに関するユーザ情報が表示されていることを見て、接続先が誤っていないことを確認することができる。一方ネットワーク端末４においてクライアント機能は、ユーザ認証に成功したらモニタ６においてネットワーク接続画面８を閉じる。次いで図１に示されているように、仮想ネットワーク端末１８を開く。仮想ネットワーク端末１８はネットワーク上の仮想のモニタであり、射出成形機１ａのモニタ３に表示される内容が複製されて同じ内容が表示される。つまり射出成形機１ａのサーバ機能は、射出成形機１ａのモニタ３に表示されている画面と全く同じ画面を仮想ネットワーク端末１８に表示させる。従って仮想ネットワーク端末１８にもユーザ情報ウィンドウ１５が表示されることになる。ユーザは、以後ネットワーク端末４において仮想ネットワーク端末１８に表示されている画面を操作し、射出成形機１ａのモニタ３上に表示されている画面を間接的に操作できる。これによってユーザは、ネットワーク端末４から射出成形機１ａを操作できることになる。射出成形機１ａのモニタ３にはユーザ情報ウィンドウ１５が表示されて操作中のユーザの顔写真が表示されているので、他のユーザは射出成形機１ａが誤って操作することを防止できる。
【００２１】
本実施の形態に係るネットワーク端末４は、複数台の射出成形機１ａ、１ｂ、…に同時に接続できるようになっている。図１においては、ネットワーク端末４において、仮想ネットワーク端末１８だけでなく仮想ネットワーク端末１８’も表示され、この仮想ネットワーク端末１８’が射出成形機１ｃのモニタ３’に表示されている画面と同じ画面が表示されていることが示されている。この仮想ネットワーク端末１８’も、上で説明したネットワーク接続画面８を最初に表示させて射出成形機１ｃにユーザ認証を受けた後に表示されたものである。射出成形機１ｃのモニタ３’にも、顔写真等のユーザ情報を表示するユーザ情報ウィンドウ１５’が表示されている。ところでネットワーク端末４のモニタ６はマルチウィンドウなので、表示されている複数のウィンドウはマウス等のポインティングデバイスによって選択してアクティブ状態になったり、非選択の非アクティブ状態になったりする。仮想ネットワーク端末１８、１８’がアクティブ状態と非アクティブ状態とで切換えられたら、接続されている射出成形機１ａ、１ｃのモニタ３、３’上に表示されているユーザ情報ウィンドウ１５、１５’の色が連動して変化する。例えば、仮想ネットワーク端末１８がアクティブ状態になったら、対応する射出成形機１ａのモニタ３上のユーザ情報ウィンドウ１５はカラーで表示され、仮想ネットワーク端末１８’が非アクティブ状態になったら、対応する射出成形機１ｃのモニタ３’上のユーザ情報ウィンドウ１５’は白黒表示される。あるいは非アクティブ状態になったら対応するユーザ情報ウィンドウ１５’は半透明状態になるようにしてもよい。
【００２２】
本実施の形態に係る射出成形機１は、ネットワーク端末４との接続が切断されたら、モニタ３上からユーザ情報ウィンドウ１５を閉じる。例えば、ネットワーク端末４において、仮想ネットワーク端末１８のウィンドウを閉じると、射出成形機１のサーバ機能は接続が切断されたものと判断する。そうするとサーバ機能は射出成形機１ａのモニタ３上でユーザ情報ウィンドウ１５を閉じる。これによって射出成形機１ａは、遠隔操作されていないことが容易に判断できることになる。
【００２３】
本実施の形態に係る射出成形機１、ネットワーク端末４は色々な変形が可能である。例えば、ユーザ情報ウィンドウ１５には、顔写真が表示されるように説明したが、ユーザＩＤが表示されるようにしてもよいし、他のユーザを特定する情報を表示してもよい。また、ユーザ認証はユーザＩＤとパスワードによって実施されるように説明したが、他の方法によってユーザ認証することもできる。例えば、ネットワーク端末４に指紋認証装置を設け、指紋認証を受けることによってユーザが特定され、特定された情報が射出成形機１のサーバ機能に送信されてユーザ認証が行われてもよい。
【符号の説明】
【００２４】
１      射出成形機              ２      ＬＡＮ
３      モニタ                  ４      ネットワーク端末
５      無線ルータ              ６      モニタ
８      ネットワーク接続画面  １５      ユーザ情報ウィンドウ
１８      仮想ネットワーク端末
【図１】
2019130793.tif 000003
【図２】
2019130793.tif 000004